(57)【要約】【課題】強度が高く、容易に施工することができる、柱固定構造を提供する。【解決手段】木造住宅において土台に柱を固定する柱固定構造であって、前記土台に立設して上部を前記柱に挿入する接合金物と、前記柱に挿通するとともに前記接合金物と嵌合する上部ドリフトピンと、前記上部ドリフトピンの下部に外接し、前記柱のみに挿通する２本の下部ドリフトピンと、を有し、前記上部ドリフトピンと前記下部ドリフトピンは平面視直交し、前記２本の下部ドリフトピンは、前記接合金物を挟んで対称であることを特徴とする、柱固定構造。【選択図】図１
2015105502.tif 000002
【特許請求の範囲】
【請求項１】
木造住宅において土台に柱を固定する柱固定構造であって、
前記土台に立設して上部を前記柱に挿入する接合金物と、
前記柱に挿通するとともに前記接合金物と嵌合する上部ドリフトピンと、
前記上部ドリフトピンの下部に外接し、前記柱のみに挿通する２本の下部ドリフトピンと、を有し、
前記上部ドリフトピンと前記下部ドリフトピンは平面視直交し、
前記２本の下部ドリフトピンは、前記接合金物を挟んで対称であることを特徴とする、
柱固定構造。
【請求項２】
木造住宅において土台に柱を固定する柱固定方法であって、
前記土台に接合金物を立設し、
予め前記接合金物の挿通孔を設けるとともに前記挿通孔を挟んで対称に２本の下部ドリフトピンを挿通した柱を、前記接合金物を挿通しながら立設し、
前記下部ドリフトピンと平面視直交する上部ドリフトピンを前記柱内部の前記接合金物に嵌合するように、前記柱の、前記下部ドリフトピンの上側に挿通することを特徴とする、
柱固定方法。
【発明の詳細な説明】
【技術分野】
【０００１】
本発明は、木造住宅において、土台に柱を固定する際の柱固定構造および柱固定方法に関するものである。
【背景技術】
【０００２】
従来、木造住宅において土台と柱とを固定する方法として、固定金具とドリフトピンを土台および柱に挿入して固定する方法が知られている。（図５）
【０００３】
固定金具は土台から一部突出した状態で立設する。そして、土台から突出する部分を柱に挿入する。
固定金具には挿通孔を設ける。そして、柱には、固定金具の挿通孔に対応する位置にドリフトピン挿通孔を設ける。そして、ドリフトピン挿通孔にドリフトピンを挿通し、固定金具と柱とを固定する。
柱に挿通するドリフトピンは平面視して直交するように、高低差をつけて上下に２本設ける。
これにより、柱に引き抜き方向の力が作用したときに、上下のドリフトピンそれぞれが柱に荷重を分散する。
【発明の概要】
【発明が解決しようとする課題】
【０００４】
上記した従来の土台と柱との固定方法には、以下のような問題がある。
（１）柱固定時に、２本のドリフトピンを柱の異なる面にそれぞれ打ち込む必要があり、施工に手間がかかる。
（２）直交するドリフトピンそれぞれに荷重がかかるため、ドリフトピンの高低差が小さいと柱への負担が大きくなる。柱への負担を小さくするためには上下のドリフトピンの高低差は大きくする必要があるが、そのためには固定金具や挿通孔を長くする必要があり、柱の欠損が大きくなってしまう。
【０００５】
本発明は、強度が高く、容易に施工することができる、柱固定構造および柱固定方法を提供することを目的とする。
【課題を解決するための手段】
【０００６】
上記目的を達成するためになされた本願の第１発明は、木造住宅において、土台に柱を固定する柱固定構造であって、前記土台に立設して上部を前記柱に挿入する接合金物と、前記柱に挿通するとともに前記接合金物と嵌合する上部ドリフトピンと、前記上部ドリフトピンの下部に外接し、前記柱のみに挿通する２本の下部ドリフトピンと、を有し、前記上部ドリフトピンと前記下部ドリフトピンは平面視直交し、前記２本の下部ドリフトピンは、前記接合金物を挟んで対称であることを特徴とする、柱固定構造を提供する。
本願の第２発明は、木造住宅において、土台に柱を固定する柱固定方法であって、前記土台に接合金物を立設し、予め前記接合金物の挿通孔を設けるとともに前記挿通孔を挟んで対称に２本の下部ドリフトピンを挿通した柱を前記接合金物を挿通しながら立設し、前記下部ドリフトピンと平面視直交する上部ドリフトピンを前記柱内部の前記接合金物に嵌合するように前記柱の、前記下部ドリフトピンの上側に挿通することを特徴とする、柱固定方法を提供する。
【発明の効果】
【０００７】
本発明は、上記した課題を解決するための手段により、次のような効果の少なくとも一つを得ることができる。
（１）柱に作用する引き抜き力が、土台に固定された接合金物と接合金物に嵌合した上部ドリフトピンにより、２本の下部ドリフトピンに同時に作用する。２本の下部ドリフトピンに同時に作用するため、柱への負担が分散される。
（２）柱への負担が分散されるため、柱の欠損を少なくすることができる。
（３）施工時には上部ドリフトピン１本を打ち込むだけでよいため、施工が容易である。
【図面の簡単な説明】
【０００８】
【図１】柱固定構造の説明図
【図２】接合金物の説明図
【図３】柱固定構造の断面図
【図４】柱固定方法の説明図
【図５】従来の柱固定構造の説明図
【発明を実施するための形態】
【０００９】
以下、図に示す実施例に基づき、本発明を詳細に説明する。
【実施例１】
【００１０】
［１］柱固定構造
（１）構造
本発明の柱固定構造は、木造住宅において、土台１と柱２とを固定する構造である。
本発明の柱固定構造は、土台１と柱２の内部に位置する接合金物３、柱２に挿通する上部ドリフトピン４１および下部ドリフトピン４２と、を有する。（図１）
【００１１】
（２）接合金物
接合金物３は円柱状の部材である。（図２）
接合金物３は軸と直交する方向にドリフトピン貫通孔３１を設ける。
接合金物３に設けるドリフトピン貫通孔３１は、柱２側には一カ所設ける。
接合金物３は、一方の端部は土台１に挿入して固定する。本実施例においては、ドリフトピンを用いて固定しているが、固定方法はこれに限定されない。
接合金物３の他方の端部は柱２に挿通する。そして、柱２と接合金物３のドリフトピン挿通孔３１に挿通する上部ドリフトピン４１により柱２に固定する。
また、柱２には、上部ドリフトピン４１下部に外接する下部ドリフトピン４２を２本挿通する。
【００１２】
（３）ドリフトピン
上部ドリフトピン４１および下部ドリフトピン４２は、柱２の幅とほぼ同じ長さである。
２本の下部ドリフトピン４２はいずれも上部ドリフトピン４１と平面視直交する。
下部ドリフトピン４２は接合金物３を挟んで対称に位置する。（図３）
【００１３】
（４）柱への力の作用
柱２に引き抜き方向の力がかかると、柱２にのみ挿通している下部ドリフトピン４２には引き抜き方向の力がかかる。（図３）
そして、土台１に固定された接合金物３と接合金物３に嵌合した上部ドリフトピン４１が下部ドリフトピン４２に接しているため、引き抜き方向の力が作用した下部ドリフトピン４２に、逆方向に力が作用する。
下部ドリフトピン４２は２本あるため、作用する力が２本のピンに伝わることで、柱２への支圧負担を分散することができる。
上部ドリフトピン４１と下部ドリフトピン４２とが接した状態で柱２へ力を分散するため、接合金物３の長さを短くすることができる。これにより、柱２の欠損が少なくなり、強固な接合構造とすることができる。
【００１４】
［２］柱固定方法
（１）接合金物の立設
まず土台１に接合金物３を立設して固定する。（図４ａ）
土台１に設けた挿入孔に接合金物３を挿入して立設する。固定にドリフトピンを用いる場合には接合金物３と土台１にピン挿入孔を設けておき、接合金物３を挿入した後、ピン挿入孔にドリフトピンを挿入して固定する。
【００１５】
（２）柱の加工
柱２には予め接合金物３および上部ドリフトピン用４１の孔２１を開けておくとともに、２本の下部ドリフトピン４２を打設しておく。（図４ｂ）
【００１６】
（３）柱の立設、固定
柱２の接合金物３用の孔２１に、土台１に立設した接合金物３を挿入しながら、柱２を土台１上に立設する。
そして、上部ドリフトピン４１用の孔２１に上部ドリフトピン４１を打ち込むことで、土台１上に柱２を固定する。（図４ｃ）
柱２を立設する際に打ち込むドリフトピンは上部ドリフトピン４１の一本のみであり、容易に施工することができる。
【符号の説明】
【００１７】
１        土台
２        柱
２１      孔（上部ドリフトピン用）
３        接合金物
４        ドリフトピン
４１      上部ドリフトピン
４２      下部ドリフトピン
【図１】
2015105502.tif 000003
【図２】
2015105502.tif 000004
【図３】
2015105502.tif 000005
【図４】
2015105502.tif 000006
【図５】
2015105502.tif 000007